(57)【要約】      （修正有）【課題】乳母車用の幌に関しては、例えば、座席への通気性を高めるために編み目状の部材からなる通気部を設ける技術が提案されているが（特許文献１）、乳母車用の幌によって乳母車の利便性を向上させる技術については知られていないので、提案する。【解決手段】乳母車用の幌５０は、相対移動可能な複数の幌骨６１，６２，６３と、複数の幌骨によって支持された複数の幌布５６，５７，５８と、複数の幌布との間で被保持物５を挟持するための保持要素７０と、を備える。【選択図】図２
2014065435.tif 000002
【特許請求の範囲】
【請求項１】
相対移動可能な複数の幌骨と、
前記複数の幌骨によって支持された幌布と、
前記幌布との間で被保持物を挟持するための保持要素と、
を備える、乳母車用の幌。
【請求項２】
前記保持要素と前記幌布との間に形成される前記被保持物を収容する収容空間は、前後方向に開放している、請求項１に記載の乳母車用の幌。
【請求項３】
前記保持要素と前記幌布との間に形成される前記被保持物を収容する収容空間は、前後方向の両側に開放している、請求項１または２に記載の乳母車用の幌。
【請求項４】
前記保持要素の前側縁部は、前記複数の幌骨のうちの一の幌骨の近傍で当該一の幌骨に沿って延び、
前記保持要素の後側縁部は、前記複数の幌骨のうちの他の幌骨の近傍で当該他の幌骨に沿って延びる、請求項３に記載の乳母車用の幌。
【請求項５】
前記保持要素は、前後方向に直交する幅方向の両側で前記幌布に取り付けられている、請求項１乃至４のいずれかに記載の乳母車用の幌。
【請求項６】
前記保持要素は、前記幌布のうちの隣り合う２つの幌骨の間となる領域に配置され、
前記保持要素は、前記隣り合う２つの幌骨の間を結ぶ方向に沿った取付部を介して、前記幌布に取り付けられている、請求項１乃至５のいずれかに記載の乳母車用の幌。
【請求項７】
前記複数の幌骨は、第１の幌骨と、当該第１の幌骨より後方側にある第２の幌骨と、当該第２の幌骨より後方側にある第３の幌骨と、を少なくとも含み、
前記保持要素は、前記第２の幌骨と前記第３の幌骨の間に配置されている、請求項１乃至６のいずれか一項に記載の乳母車用の幌。
【請求項８】
前記保持要素は、前記幌布に取り付けられた一対のカバー材と、当該一対のカバー材を連結する連結具と、を有する、請求項１乃至７のいずれか一項に記載の乳母車用の幌。
【請求項９】
前記保持要素は、前記幌布に周縁を取り付けられたカバー材を有し、
前記カバー材は、前記保持要素と前記幌布との間に形成される前記被保持物を収容する収容空間に通じる開口を、前記幌布との間で形成する、請求項１乃至７のいずれか一項に記載の乳母車用の幌。
【請求項１０】
前記幌布に複数の掛け具が固定され、
前記保持要素は、前記複数の掛け具に架け渡される紐状部材を有する、請求項１乃至７のいずれか一項に記載の乳母車用の幌。
【請求項１１】
前記掛け具は、前記幌布のうちの前後方向と直交する幅方向における一方側に並べられた第１の掛け具群と、前記幌布のうちの前記幅方向において一方側に対向する他方側に並べられた第２の掛け具と、を含み、
前記紐状部材は、前記第１の掛け具群の掛け具と前記第２の掛け具群の掛け具とに交互に架け渡されている、請求項１０に記載の乳母車用の幌。
【請求項１２】
乳母車本体と、
当該乳母車本体に取り付けられた請求項１乃至１１のいずれか一項に記載された乳母車用の幌と、を備える、乳母車。
【請求項１３】
前記保持要素は、前記幌布のうちの隣り合う２つの幌骨の間となる領域に配置され、
前記乳母車用の幌を広げた状態での側面視において、隣り合う２つの幌骨の上端間が水平面に対してなす角度は、前記保持要素が間に設けられた隣り合う２つの幌骨において最も小さくなる、請求項１２に記載の乳母車。
【請求項１４】
前記複数の幌骨は、第１の幌骨と、当該第１の幌骨より後方側にある第２の幌骨と、当該第２の幌骨より後方側にある第３の幌骨と、を少なくとも含み、
前記保持要素は、前記第２の幌骨と前記第３の幌骨の間に配置されていて、
当該乳母車の側面視において、前記第３の幌骨が前記操作用ハンドルとの間でなす角度は、前記複数の幌骨に含まれるその他の幌骨が前記操作用ハンドルとの間でなす角度よりも小さい、請求項１２または１３に記載の乳母車。
【発明の詳細な説明】
【技術分野】
【０００１】
本発明は、乳母車に取り付けられる乳母車用の幌に関する。
【背景技術】
【０００２】
通常、乳母車には、当該乳母車に乗っている乳幼児を日差し等から保護するための幌が取り付けられている。この幌は、相対移動可能な複数の幌骨と、前記複数の幌骨によって支持された幌布と、を備えており、日差しが強い場合には各幌骨間の角度を大きくして両幌骨間に張設された幌布を広げた状態にして日除けを行うことができる。一方、各幌骨間の角度を小さくすれば、上記幌布を折り畳んだ状態にすることもできる。
【先行技術文献】
【特許文献】
【０００３】
【特許文献１】特開２００６−１４８２号公報
【発明の開示】
【発明が解決しようとする課題】
【０００４】
ところで、乳母車においては、その利便性の向上が益々所望されてきている。この点、乳母車用の幌に関しては、例えば、座席への通気性を高めるために編み目状の部材からなる通気部を設ける技術が提案されているが（特許文献１参照）、乳母車用の幌によって乳母車の利便性を向上させる技術については知られていない。
【０００５】
本発明は、このような点に鑑みてなされたものであり、乳母車の利便性を向上させることができる乳母車用の幌を提供することを目的とする。
【課題を解決するための手段】
【０００６】
本発明による乳母車用の幌は、
相対移動可能な複数の幌骨と、
前記複数の幌骨によって支持された幌布と、
前記幌布との間で被保持物を挟持するための保持要素と、を備える。
【０００７】
本発明による乳母車用の幌において、前記保持要素と前記幌布との間に形成される前記被保持物を収容する収容空間は、前後方向に開放していてもよい。
【０００８】
本発明による乳母車用の幌において、前記保持要素と前記幌布との間に形成される前記被保持物を収容する収容空間は、前後方向の両側に開放していてもよい。
【０００９】
本発明による乳母車用の幌において、前記保持要素の前側縁部は、前記複数の幌骨のうちの一の幌骨の近傍で当該一の幌骨に沿って延び、前記保持要素の後側縁部は、前記複数の幌骨のうちの他の幌骨の近傍で当該他の幌骨に沿って延びていてもよい。
【００１０】
本発明による乳母車用の幌において、前記保持要素は、前後方向に直交する幅方向の両側で前記幌布に取り付けられていてもよい。
【００１１】
本発明による乳母車用の幌において、前記保持要素は、前記幌布のうちの隣り合う２つの幌骨の間となる領域に配置され、前記保持要素は、前記隣り合う２つの幌骨の間を結ぶ方向に沿った取付部を介して、前記幌布に取り付けられていてもよい。
【００１２】
本発明による乳母車用の幌において、前記複数の幌骨は、第１の幌骨と、当該第１の幌骨より後方側にある第２の幌骨と、当該第２の幌骨より後方側にある第３の幌骨と、を少なくとも含み、前記保持要素は、前記第２の幌骨と前記第３の幌骨の間に配置されていてもよい。
【００１３】
本発明による乳母車用の幌において、前記保持要素は、前記幌布に取り付けられた一対のカバー材と、当該一対のカバー材を連結する連結具と、を有していてもよい。
【００１４】
本発明による乳母車用の幌において、前記保持要素は、前記幌布に周縁を取り付けられたカバー材を有し、前記カバー材は、前記保持要素と前記幌布との間に形成される前記被保持物を収容する収容空間に通じる開口を、前記幌布との間で形成していてもよい。
【００１５】
本発明による乳母車用の幌において、前記幌布に複数の掛け具が固定され、前記保持要素は、前記複数の掛け具に架け渡される紐状部材を有していてもよい。
【００１６】
本発明による乳母車用の幌において、前記掛け具は、前記幌布のうちの前後方向と直交する幅方向における一方側に並べられた第１の掛け具群と、前記幌布のうちの前記幅方向において一方側に対向する他方側に並べられた第２の掛け具と、を含み、前記紐状部材は、前記第１の掛け具群の掛け具と前記第２の掛け具群の掛け具とに交互に架け渡されていてもよい。
【００１７】
本発明による乳母車は、
乳母車本体と、
当該乳母車本体に取付けられた前記いずれかの特徴を有する乳母車用の幌と、を備える。
【００１８】
本発明による乳母車において、前記保持要素は、前記幌布のうちの隣り合う２つの幌骨の間となる領域に配置され、前記乳母車用の幌を広げた状態での側面視において、隣り合う２つの幌骨の上端間が水平面に対してなす角度は、前記保持要素が間に設けられた隣り合う２つの幌骨において最も小さくなっていてもよい。
【００１９】
本発明による乳母車において、前記複数の幌骨は、第１の幌骨と、当該第１の幌骨より後方側にある第２の幌骨と、当該第２の幌骨より後方側にある第３の幌骨と、を少なくとも含み、前記保持要素は、前記第２の幌骨と前記第３の幌骨の間に配置されていて、当該乳母車の側面視において、前記第３の幌骨が前記操作用ハンドルとの間でなす角度は、前記複数の幌骨に含まれるその他の幌骨が前記操作用ハンドルとの間でなす角度よりも小さくてもよい。
【発明の効果】
【００２０】
本発明によれば、保持要素と幌布との間で被保持物を挟持することができ、乳母車の利便性を向上させることができる。
【図面の簡単な説明】
【００２１】
【図１】図１は、本発明の第１の実施の形態による幌を備えた乳母車を示す斜視図である。
【図２】図２は、本発明の第１の実施の形態における乳母車用の幌を示す概略側面図である。
【図３】図３は、本発明の第１の実施の形態における乳母車用の幌を示す概略上面図である。
【図４】図４（ａ）〜（ｃ）は、図２の幌の開閉動作を説明するための概略側面図であり、（ａ）は、幌を閉じた状態を示し、（ｂ）は、幌を一部分だけ開いた状態を示し、（ｃ）は、幌を完全に開いた（広げた）状態を示す。なお、図４において、保持要素及び通気部カバーの図示を省略している。
【図５】図５は、乳母車用の幌を広げた状態における図１の乳母車を示す側面図である。
【図６】図６は、図２に対応する図であって、乳母車用の幌の幌骨の他の構成例を示す概略側面図である。
【図７】図７は、本発明の第２の実施の形態における乳母車用の幌を示す概略側面図である。
【図８】図８は、本発明の第２の実施の形態における乳母車用の幌を示す概略上面図である。
【図９】図９は、本発明の第３の実施の形態における乳母車用の幌を示す概略側面図である。
【図１０】図１０は、本発明の第３の実施の形態における乳母車用の幌を示す概略上面図である。
【図１１】図１１は、本発明の第４の実施の形態における乳母車用の幌を示す概略側面図である。
【図１２】図１２は、本発明の第４の実施の形態における乳母車用の幌を示す概略上面図である。
【図１３】図１３は、本発明の第５の実施の形態における乳母車用の幌を示す概略側面図である。
【図１４】図１４は、本発明の第５の実施の形態における乳母車用の幌を示す概略上面図である。
【図１５】図１５は、本発明の第６の実施の形態における乳母車用の幌を示す概略側面図である。
【発明を実施するための形態】
【００２２】
≪第１の実施の形態≫
以下添付図面を参照して本発明の第１の実施の形態について説明する。
【００２３】
図１乃至図５は本発明による乳母車の第１の実施の形態を説明するための図である。このうち、図１及び図５には、乳母車の全体構成が示されている。図示された乳母車１０は、折り畳み可能な乳母車本体１１と、乳母車本体１１に装着された幌５０と、を有している。図２〜図４には、乳母車用の幌５０が示されている。図示された乳母車本体１１は、一対の前脚２２、一対の後脚２４、一対のアームレスト２８及び一対のリンク部材２６を有するフレーム部２０と、フレーム部２０に揺動可能に接続された操作用ハンドル３０と、を有している。乳母車本体１１の各前脚２２の下端には、車輪（前輪)１６が保持され、乳母車本体１１の各後脚２４の下端には、車輪（後輪)１８が保持されている。
【００２４】
図１に示す乳母車１０では、前脚２２の上方端部および後脚２４の上方端部は、対応する側（左側または右側）に配置されたアームレスト２８に回動可能（揺動可能）に接続されている。また、第1 リンク材２６の上方部分が、対応する側（左側または右側) に配置されたアームレスト２８の後方部分に回動可能（揺動可能）に接続されている。
【００２５】
また、フレーム部２０は、左後脚２４と左第１リンク材２６とを連結する左第２リンク材２７、および、右後脚２４と右第１リンク材２６とを連結する右第２リンク材２７と、をさらに有している。各第２リンク材２７は、その一部分において後脚２４の中間部分に 回動可能（揺動可能）に接続され、他の部分において第1 リンク材２６の下方部分に回動可能に接続されている。
【００２６】
このような構成からなるフレーム部２０に対し、操作用ハンドル３０が揺動可能に接続されている。ハンドル３０は、Ｕ字の両端部を、対応する側の第２リンク材２７に回動可能（揺動可能）に接続されている。ハンドル３０は、図１に実線で示す背面押し位置（後方位置）と、図示しない対面押し位置（前方位置）と、に固定され得る。ハンドル３０をフレーム部２０に対して揺動可能とする構成は、既知の構成、例えば、ＪＰ２００８−２５４６８８Ａに開示された構成を、採用することができる。また、そもそも図示された乳母車１０および乳母車本体１１の構成は例示に過ぎず、図示された例に代えて種々の構成を採用することができる。
【００２７】
なお、本明細書中において、乳母車１０、乳母車本体１１及び幌５０に対する「前」、「後」、「上」および「下」の用語は、特に指示がない場合、展開状態にある乳母車１０に乗車する乳幼児を基準とした「前」、「後」、「上」および「下」を意味する。したがって、乳母車１０、乳母車本体１１および幌５０に関して用いる「前後方向」とは、図５における紙面の左と右とを結ぶ方向に相当する。そして、特に指示がない限り、「前」とは、乗車した乳幼児が向く側であり、図５における紙面の左側が乳母車１０、乳母車本体１１および幌５０の前後方向における前側となる。一方、乳母車１０、乳母車本体１１および幌５０に関して用いる「上下方向」とは前後方向に直交するとともに乳母車１０の接地面に直交する方向である。したがって、乳母車１０の接地面が水平面である場合、「上下方向」とは鉛直方向をさす。また、乳母車１０、乳母車本体１１および幌５０に関して用いる「幅方向」とは、「前後方向」および「上下方向」のいずれにも直交する横方向である。
【００２８】
次に、乳母車本体１１に装着された幌５０について説明する。図１に示す例では、幌５０は、アームレスト２８の後端に連結された第１リンク部材２６に着脱可能に装着されている。図２に示すように、幌５０は、相対移動可能な複数の幌骨６０と、複数の幌骨６０によって支持された幌布５５と、複数の幌骨６０を相対移動可能に支持すると共に乳母車本体１１に着脱可能な幌取付部５１と、を備えている。このうち幌取付部５１には、突起状の係止要素５２が設けられており、この係止要素５２は、乳母車本体１１の第１リンク部材２６の筒状部２９に設けられた係止孔２９ａに挿入されている。
【００２９】
先ず、乳母車用の幌５０の幌骨６０について説明する。本実施の形態では、幌骨６０は、第１の幌骨６１と、当該第１の幌骨６１より後方側にある第２の幌骨６２と、当該第２の幌骨６２より後方側にある第３の幌骨６３と、を含んでいる。各幌骨６０は、逆Ｕ字状に屈曲され、その各基端部が直接または間接的に幌取付部５１に支持されている。図２に示す例では、第３の幌骨６３は、幌取付部５１に対して回動可能に支持され、第２の幌骨６２は、第３の幌骨６３に対して所定範囲だけ回動可能に支持され、第１の幌骨６１は、第２の幌骨６２に対して所定範囲だけ回動可能に支持されている。また、図２に示す例では、第１の幌骨６１と第２の幌骨６２と第３の幌骨６３とは同軸に支持されている。更に、第１の幌骨６１と第２の幌骨６２との間には、リンク機構からなる開度規制具６４が枢着されており、この開度規制具６４によって、第１の幌骨６１が第２の幌骨６２に対して回動可能な範囲が規制されている。
【００３０】
ここで、幌骨６０の回動動作を図４（ａ）〜（ｃ）を参照して説明する。図４（ａ）〜（ｃ）は、図２の幌５０の回動動作を説明するための概略側面図であり、図４（ａ）は、幌を折り畳んだ状態を示し、図４（ｂ）は、幌を半展開した状態を示し、図４（ｃ）は、幌を完全に展開した状態を示す。幌の不使用時には、図４（ａ）に示すように、第２の幌骨６２を第３の幌骨６３に沿うように回動させると共に、開度規制具６４を屈曲させることにより第１の幌骨６１も後方に回動させ、３つの幌骨６１、６２、６３を互いに接近させて閉じた状態（折り畳んだ状態）にすることができる。図４（ａ）に示す状態から第１の幌骨６１が第２の幌骨６２に対してなす角度が大きくなるように第１の幌骨６１を前方に回動させ、開度規制具６４を直線状に延ばすことにより、図４（ｂ）に示すように、幌骨６０を半開状態（半展開状態）とすることができる。更に、図４（ｃ）に示す状態から第２の幌骨６２を第３の幌骨６３に対して前方側に回動させて、各幌骨６１、６２、６３間の角度を大きくすることにより、図４（ｃ）に示すように、幌骨６０を完全に広げた状態（展開した状態）にすることができる。
【００３１】
次に、第１の幌骨６１と第２の幌骨６２と第３の幌骨６３とによって支持された幌布５５について説明する。図２及び図３に示すように、幌布５５は、第１の幌骨６１と第２の幌骨６２との間となる前方領域５６と、第２の幌骨６２と第３の幌骨６３との間となる中央領域５７と、第２の幌骨６２と第３の幌骨６３との間となる後方領域５８と、を含んでいる。このうち第１の幌骨６１と第２の幌骨６２との間となる前方領域５６には、メッシュ材等の編み目状に形成された通気部５３が設けられている。これにより、幌５０を広げた場合にも幌の内部と外部との間での通気性を高めることができる。更に、幌布５５の前方領域５６には、この通気部５３を覆う通気部カバー５４が設けられている。
【００３２】
また、第２の幌骨６２と第３の幌骨６３との間となる中央領域５７には、保持要素７０が設けられている。この保持要素７０は、幌布５５との間で被保持物５を挟持するためのものであり、保持要素７０と幌布５５との間には、被保持物５を収容する収容空間７１が形成される。この被保持物５としては、種々の物品を挙げることができるが、典型的には、幌５０によって安定して支持され得る毛布やタオル等の布地類や、衣類とすることができる。
【００３３】
本実施の形態では、被保持物５を収容する収容空間７１は、前後方向の両側に開放している。収容空間７１が後方に開放しているので、保護者は、乳母車１０を乳幼児の背面側から押しているときに、収容空間７１に容易にアクセスすることができる。一方、収容空間７１は前方にも開放しているので、保護者は、乳幼児に対面しているときに、当該収容空間７１に容易にアクセスすることができる。更に、収容空間７１は、前後方向の両側に開放しているので、被保持物５を収容空間７１の前後方向に貫通させながら保持することができる。このため、比較的長い被保持物５であっても、折り畳むことなく前後方向に延ばした状態で保持することができる。この点において、上述した布地類や衣類等からなる被保持物５を、収容空間７１に好適に保持することができる。
【００３４】
とりわけ図示された例において、保持要素７０は、幌布５５のうちの複数の幌骨６０のうちの隣り合う２つの幌骨６２、６３の間となる領域５７上に設けられている。一般的に、幌布５５のうちの隣り合う２つの幌骨間となる領域は、当該２つの幌骨の間において、下方に撓むようにして支持される。保持要素７０が、布材等の柔軟な材料からなる場合、当該保持要素７０も、幌布５５の外面上を幌布５５に沿って延び、下方に撓む。この結果、保持要素７０の前側縁部７０ａまたは後側縁部７０ｂと幌布５５との間で形成され且つ収容空間７１へ通じる開口６９ａ、６９ｂが、意図せず開いてしまうことを効果的に抑制することができる。これにより、収容空間７１に収容した被保持物５が意図せず落下してしまうことを効果的に防止することができる。
【００３５】
さらに、図示された形態のように保持要素７０の前側縁部７０ａが一の幌骨（例えば第２の幌骨６２）の近傍で当該一の幌骨に沿って延びていることが好ましい。同様に、保持要素７０の後側縁部７０ｂは、他の幌骨（例えば第３の幌骨６３）の近傍で当該他の幌骨に沿って延びていることが好ましい。このような形態によれば、隣り合う２つの幌骨６２、６３の間となる幌布５５上の前後方向の広い領域を有効に利用して、被保持物５を収容することができる。また、収容空間７１に通じる開口６９ａ、６９ｂを形成する保持要素７０の前側縁部７０ａ及び後側縁部７０ｂが、それぞれ、幌骨６０の近傍に配置されるので、開口６９ａ、６９ｂが、意図せず開いてしまうことをより効果的に抑制することができる。さらに、幌骨６０の近傍に位置する保持要素７０と幌布５５との間で形成される開口６９ａ、６９ｂによって、被保持物５を安定して狹持することも可能となる。以上のことから、このような形態を採用することによって、被保持物５を更に安定して保持することができる。
【００３６】
また、図に示す例では、保持要素７０は、前後方向に直交する幅方向の両側で幌布５５に取り付けられている。幌布５５を支持する幌骨６０が逆Ｕ字状に形成され、幌布５５の頂面が、幅方向において、中央部で凸となる曲面状に張設されている場合、被保持物５が、保持要素７０と幌布５５との間の収容空間７１内において、幌布５５上を幅方向外側にずれることが予想される。図示された例のように、保持要素７０が幅方向の両側で幌布５５に取り付けられている場合には、被保持物５が、収容空間７１から幅方向外側にずれ落ちてしまうことを効果的に防止することができ、被保持物５を収容空間７１内により安定して保持することができる。
【００３７】
とりわけ、図示された例では、保持要素７０が幌布５５のうちの隣り合う２つの幌骨６２、６３の間となる領域に配置され、保持要素７０が、隣り合う２つの幌骨６２、６３の間を結ぶ方向に沿った取付部７３を介して、幌布５５に取り付けられている。したがって、被保持物５が、収容空間７１から幅方向外側にずれ落ちてしまうことをより効果的に防止することができる。
【００３８】
図５には、乳母車用の幌５０を広げた状態にて図１の乳母車１０の側面図が示されている。図５に示すように、乳母車用の幌５０を広げた状態での側面視において、隣り合う２つの幌骨６０の上端間が水平面に対してなす角度αは、保持要素７０が間に設けられた隣り合う２つの幌骨６２、６３において最も小さくなっていることが好ましい。このような形態によれば、第２の幌骨６２と第３の幌骨６３との間に張設された幌布５５の中央領域５７において、水平面に対しての傾斜角度が最も小さくなるため、幌布５５の中央領域５７に載置される被保持物５を安定して支持することができる。加えて、多くの乳母車用の幌５０は、複数の幌骨６０が基端部において枢着される構成を採用しているので、側面視において乳幼児の上方領域を略円弧状に覆うようになる。この場合、幌布５５における水平面に対しての傾斜角度が最も小さくなる領域は、最も上方に位置し、乳母車１０を操縦する保護者にとって作業性の良い高さとなる。すなわち、上記の条件を満たす場合、保護者にとって作業性のよい高さに、収容空間７１を形成することができる。
【００３９】
また、図５に示すように、乳母車１０の側面視において、乳母車本体１１の操作用ハンドル３０と幌骨６０とのなす角度βは、操作用ハンドル３０と第３の幌骨６３とのなす角度において最も小さくなるのが好ましい。このような形態によれば、操作用ハンドル３０付近にある幌骨６３と当該幌骨６３より前方側にある幌骨６２との間に保持要素７０が位置することになるため、保護者は、操作用ハンドル３０を用いて乳母車１０を操作しているときに、収容空間７１に極めて容易にアクセスすることができる。
【００４０】
なお、乳母車１０の側面視において、操作用ハンドル３０が、緩やかに屈曲していることもある。この場合、フレーム部２０に枢着された操作用ハンドル３０の基端部３４において当該操作用ハンドル３０の延びる方向と、幌骨６０の延在方向と、が全体的且つ大局的に視てなす角度を、操作用ハンドル３０と幌骨６０とのなす角度βとして採用する。
【００４１】
図３に戻って、上述した保持要素７０は、その具体的な構成として、幌布５５に取り付けられた一対のシート状のカバー材７２と、当該一対のカバー材７２を連結する一対の連結具７５と、を有する。各カバー材７２は、略Ｕ字状の形状を有している。各カバー材７２は、幅方向外側において、前後方向に沿ってその取付部７３が幌布５５に取り付けられており、当該取付部７３から幌布５５に沿って幅方向内側に延びている。一対のカバー材７２の先端は、幅方向に所定の間隔を空けている。当該先端側からベルト７６が延び出ており、当該ベルト７６には連結具７５が取り付けられている。この連結具７５を介して一対のカバー材７２が接続されるようになる。
【００４２】
このようなカバー材７２として、種々の材料、とりわけ種々のシート状の材料、例えば種々の布材や撥水性を有するビニール材等を用いることができる。一具体例として、カバー材７２を、幌布５５と同じ材質の布材を用いて形成してもよい。一方、連結具７５として、例えば、いわゆるテープバックルやワンタッチバックルといわれるバックルや、いわゆる面ファスナを用いることができる。
【００４３】
このような形態によれば、連結具７５によって一対のカバー材７２を連結すれば、当該カバー材７２と幌布５５との間で被保持物５を挟持することができる。また、ベルト７６上における連結具７５を保持する位置を調節することにより、種々の大きさの被保持物５を安定して、保持要素７０と幌布５５との間に配置することができる。一方、連結具７５による一対のカバー材７２の連結を解除乃至緩和させれば、当該カバー材７２と幌布５５との間にある被保持物５を容易に取り出すことができる。
【００４４】
以上のように、本実施の形態によれば、保持要素７０と幌布５５との間で被保持物５を挟持することができる。幌布５５は、乳母車１０を操縦する保護者の近傍で当該保護者がアクセスしやすい位置に配置されている。このため、保持要素７０と幌布５５との間の収容空間７１に被保持物５を容易に収容することができ且つ保持要素７０と幌布５５との間の収容空間７１から被保持物５を容易に取り出すことができる。これにより、乳母車１０の利便性を向上させることができる。
【００４５】
とりわけ、被保持物５の収容空間７１を形成する幌５０は、乳母車１０を操縦する保護者の近傍に位置し、且つ、視界に入りやすい。したがって、広く普及した乳母車１０の座席の下方に設けられた収容かごと比較して、取り扱い性が格段に向上するともに、被保持物５の落下を気付きやすくなる。保持要素７０と幌布５５とによる保持は、特に、布地類や衣類等からなる被保持物５の保持に適しており、当該被保持物５を小さく折り畳むことなく保持することができ、且つ、当該保持物の一部分が地面に擦り付けられることを回避および発見しやすくなる。
【００４６】
なお、上述した第１の実施の形態に対して様々な変更を加えることが可能である。以下、図面を参照しながら、変形の一例について説明する。以下の説明および以下の説明で用いる図面では、上述した第１の実施の形態と同様に構成され得る部分について、上述の実施の形態における対応する部分に対して用いた符号と同一の符号を用いることとし、重複する説明を省略する。
【００４７】
上述した第１の実施の形態では、図２及び図３に示すように、被保持物５を収容する収容空間７１が前後方向の両側に開放している例を示したが、この例に限定されない。収容空間７１は、前方向または後方向の一方のみに開放していてもよい。あるいは、収容空間７１は、幅方向の両側に開放していてもよいし、幅方向の一方側に開放していてもよい。
【００４８】
上述した第１の実施の形態では、図２に示すように、３つの幌骨６０が幌取付部５１において回動可能に支持されている例を示したが、幌５０の構成は、上述した構成に限定されない。図６に、幌５０の他の構成例を示す。図６に示す例では、幌骨６０は、第１の幌骨６１と、当該第１の幌骨６１より後方側にある第２の幌骨６２と、を含んでいる。各幌骨６０は、逆Ｕ字状に屈曲され、その各基端部が幌取付部５１に支持されている。図６に示す例では、第２の幌骨６２は、幌取付部５１に対して固着され、第１の幌骨６１は、第２の幌骨６２に対して所定範囲だけ回動可能に支持されている。更に、第１の幌骨６１と第２の幌骨６２との間には、リンク機構からなる開度規制具６４が枢着されており、この開度規制具６４によって、第１の幌骨６１が第２の幌骨６２に対して回動可能な範囲が規制されている。図６に示す例では、第１の幌骨６１と第２の幌骨６２との間となる幌布５５の領域に、保持要素７０が設けられている。
【００４９】
このような形態によっても、保持要素７０と幌布５５との間で被保持物５を挟持することができる。幌布５５は、乳母車１０を操縦する保護者の近傍で当該保護者がアクセスしやすい位置に配置されている。このため、保持要素７０と幌布５５との間の収容空間７１に被保持物５を容易に収容することができ且つ保持要素７０と幌布５５との間の収容空間７１から被保持物５を容易に取り出すことができる。これにより、乳母車１０の利便性を向上させることができる。
【００５０】
上述した第１の実施の形態では、保持要素７０によって覆われる幌布５５の中央領域５７が、幌布５５のその他の部分と同様に構成され得る例を説明したが、これに限られない。幌布５５の中央領域５７の少なくとも一部分が、幌布５５のその他の部分と異なる構成を有するようにしてもよい。一例として、中央領域５７のうちの保持要素によって覆われる部分が、メッシュ材等の編み目状に形成された通気部として形成されていてもよい。
【００５１】
≪第２の実施の形態≫
次に、図７及び図８を参照して、本発明の第２の実施の形態について説明する。図７及び図８は、それぞれ、本発明の第２の実施の形態における乳母車用の幌５０を示す概略側面図及び概略上面図である。図７及び図８を参照して説明する第２の実施の形態は、保持要素７０が異なるが、その他の構成は、第１の実施形態およびその変形例と同様に構成することができる。第２の実施の形態に関する以下の説明および以下の説明で用いる図面では、上述した第１の実施の形態およびその変形例と同様に構成され得る部分について、上述の第１の実施の形態およびその変形例における対応する部分に対して用いた符号と同一の符号を用いることとし、重複する説明を省略する。
【００５２】
本実施の形態の乳母車用の幌５０は、図７及び図８に示すように、被保持物５を収容する収容空間７１は、前後方向に開放している。とりわけ図示された例では、開口６９ａ、６９ｂを形成する保持要素７０の縁部７０ａ、７０ｂが、幌骨６０の近傍に配置され、当該幌骨６０に沿って伸びている。また、保持要素７０は、前後方向に直交する幅方向の両側で幌布５５に取り付けられている。とりわけ図示された例では、保持要素７０の幌布５５への取付部７０ｃは、保持用要素７０が設けられている隣り合う２つの幌骨間を延びている。
【００５３】
本実施の形態の保持要素７０は、その具体的な構成として、幌布５５に取り付けられた一対のシート状のカバー材７２と、当該一対のカバー材７２を連結する連結具７５と、を有する。一対のカバー材７２は、幌布５５を覆うように形成されている。本実施の形態では、各カバー材７２の前側縁部７０ａは、第２の幌骨６２の近傍で当該第２の幌骨６２に沿って延び、各カバー材７２の後側縁部７０ｂは、第３の幌骨６３の近傍で当該第３の幌骨６３に沿って延びている。また、各カバー材７２の幅方向外側に位置する縁部（取付部）７０ｃは、前後方向に沿って幌布５５に取り付けられている。一対のカバー材７２の幅方向内側に位置する縁部７０ｄは、連結具７５によって互いに連結可能になっている。このようなカバー材７２として、例えば、布材や撥水性を有するビニール材を用いることができる。カバー材７２として撥水性を有するビニール材を用いる場合、収容空間７１内の被保持物５が雨で濡れてしまうことを抑制することができる。一方、連結具７５として、例えば、いわゆるスライドファスナーを用いることができる。
【００５４】
以上のように、本実施の形態によれば、保持要素７０と幌布５５との間で被保持物５を挟持することができる。幌布５５は、乳母車１０を操縦する保護者の近傍で当該保護者がアクセスしやすい位置に配置されている。このため、保持要素７０と幌布５５との間の収容空間７１に被保持物５を容易に収容することができ且つ保持要素７０と幌布５５との間の収容空間７１から被保持物５を容易に取り出すことができる。これにより、乳母車１０の利便性を向上させることができる。
【００５５】
≪第３の実施の形態≫
次に、図９及び図１０を参照して、本発明の第３の実施の形態について説明する。図９及び図１０は、それぞれ、本発明の第３の実施の形態における乳母車用の幌５０を示す概略側面図及び概略上面図である。図９及び図１０を参照して説明する第３の実施の形態は、保持要素７０が異なるが、その他の構成は、上述した他の実施形態およびその変形例と同様に構成することができる。第３の実施の形態に関する以下の説明および以下の説明で用いる図面では、上述した他の実施の形態およびその変形例と同様に構成され得る部分について、上述した他の実施の形態およびその変形例における対応する部分に対して用いた符号と同一の符号を用いることとし、重複する説明を省略する。
【００５６】
本実施の形態の乳母車用の幌５０は、図９及び図１０に示すように、被保持物５を収容する収容空間７１は、前後方向の両側に開放している。また、保持要素７０は、前後方向に直交する幅方向の両側で幌布５５に取り付けられている。
【００５７】
本実施の形態の保持要素７０は、その具体的な構成として、幌布５５に取り付けられた一対のカバー材７２と、当該一対のカバー材７２を連結する連結具７５と、を有する。一対のカバー材７２は、ベルト状（または帯状）且つＵ字状に形成されている。各カバー材７２は、幅方向外側に位置するその両取付部７３において、幌布５５に取り付けられている。各カバー材７２の両取付部７３の位置は、前後方向に離間している。そして、各カバー材７２は、幌布５５に取り付けられた取付部７３から幌布５５上を幅方向内側に延びている。なお、カバー材７２の長さは、調節具７２ａによって調整可能となっている。一対のカバー材７２の先端側は、連結具７５によって連結されている。このようなカバー材７２として、例えば、ベルト材や幌布５５と同じ材質の布材を用いることができる。一方、連結具７５として、例えば、いわゆる面ファスナーを用いることができる。
【００５８】
以上のように、本実施の形態によれば、保持要素７０と幌布５５との間で被保持物５を挟持することができる。幌布５５は、乳母車１０を操縦する保護者の近傍で当該保護者がアクセスしやすい位置に配置されている。このため、保持要素７０と幌布５５との間の収容空間７１に被保持物５を容易に収容することができ且つ保持要素７０と幌布５５との間の収容空間７１から被保持物５を容易に取り出すことができる。これにより、乳母車１０の利便性を向上させることができる。
【００５９】
≪第４の実施の形態≫
次に、図１１及び図１２を参照して、本発明の第４の実施の形態について説明する。図１１及び図１２は、それぞれ、本発明の第４の実施の形態における乳母車用の幌５０を示す概略側面図及び概略上面図である。図１１及び図１２を参照して説明する第４の実施の形態は、保持要素７０が異なるが、その他の構成は、上述した他の実施形態と同様に構成することができる。第４の実施の形態に関する以下の説明および以下の説明で用いる図面では、上述した他の実施の形態およびその変形例と同様に構成され得る部分について、上述した他の実施の形態およびその変形例における対応する部分に対して用いた符号と同一の符号を用いることとし、重複する説明を省略する。
【００６０】
本実施の形態の乳母車用の幌５０は、図１１及び図１２に示すように、保持要素７０は、一対で構成されており、前側保持要素７７と、当該前側保持要素７７より後方側に位置する後側保持要素７８と、を含んでいる。前側保持要素７７と幌布５５との間に前側の収容空間７１ａが形成され、後側保持要素７８と幌布５５との間に後側の収容空間７１ｂが形成されている。各保持要素７７、７８と幌布５５との間で被保持物５を収容する収容空間７１ａ、７１ｂは、それぞれ、前後方向の一端側で開放している。具体的には、前側保持要素７７と幌布５５との間で被保持物５を収容する収容空間７１ａは、前後方向の後端側で開放しており、後側保持要素７８と幌布５５との間で被保持物５を収容する収容空間７１ｂは、前後方向の前端側で開放している。すなわち、前側の収容空間７１ａの開口６９ａと、後側の収容空間７１ｂの開口６９ｂとは、互いに対向して配置されている。一方の収容空間７１ａが後方に開放しているので、保護者は、乳母車１０を乳幼児の背面側から押しているときに、当該収容空間７１ａに容易にアクセスすることができる。また、他の方収容空間７１ｂが前方に開放しているので、保護者は、乳幼児に対面しているときに、当該収容空間７１ｂに容易にアクセスすることができる。
【００６１】
また、各保持要素７７、７８は、前後方向に直交する幅方向の両側で幌布５５に取り付けられている。
【００６２】
本実施の形態の前側保持要素７７及び後側保持要素７８は、その具体的な構成として、幌布５５に周縁を取り付けられたカバー材７９を有し、当該カバー材７９は、被保持物５を収容する収容空間７１に通じる開口６９ａ、６９ｂを、幌布５５との間で形成している。各カバー材７９は、幌布５５を覆うように形成されている。本実施の形態では、前側保持要素７７のカバー材７９ａの前側縁部７０ａは、第２の幌骨６２の近傍で当該第２の幌骨６２に沿って延びて幌布５５に取り付けられ、後側保持要素７８のカバー材７９ｂの後側縁部７０ｂは、第３の幌骨６３の近傍で当該第３の幌骨６３に沿って延びて幌布５５に取り付けられている。また、各カバー材７９の幅方向外側に位置する縁部７０ｃは、前後方向に沿って幌布５５に取り付けられている。このような形態によれば、カバー材７９の、幌布５５に取り付けられた周縁により規定される収容空間７１内に被保持物５を収容することができる。
【００６３】
また、各カバー材７９の開放された縁部に沿って、すなわち、前側保持要素７７のカバー材７９ａの後側縁部および後側保持要素７８のカバー材７９ｂの前側縁部に沿って、芯部材８１が設けられており、収容空間７１に収容される被保持物５を安定して保持することができるようになっている。
【００６４】
このようなカバー材７９として、例えば、布材やメッシュ材を用いることができる。カバー材７９としてメッシュ材を用いる場合、収容空間７１における通気性を確保することができる。一方、芯材８１として、例えば、樹脂製のチューブやゴム等の弾性部材を用いることができる。芯材８１として弾性部材を用いる場合、収容空間７１に被保持物５が挿入されると弾性部材からなる芯材８１が伸びるので、当該芯材８１の弾性力により被保持物５を安定して保持することができる。
【００６５】
以上のように、本実施の形態によれば、保持要素７０と幌布５５との間で被保持物５を挟持することができる。幌布５５は、乳母車１０を操縦する保護者の近傍で当該保護者がアクセスしやすい位置に配置されている。このため、保持要素７０と幌布５５との間の収容空間７１に被保持物５を容易に収容することができ且つ保持要素７０と幌布５５との間の収容空間７１から被保持物５を容易に取り出すことができる。これにより、乳母車１０の利便性を向上させることができる。
【００６６】
≪第５の実施の形態≫
次に、図１３及び図１４を参照して、本発明の第５の実施の形態について説明する。図１３及び図１４は、それぞれ、本発明の第５の実施の形態における乳母車用の幌５０を示す概略側面図及び概略上面図である。図１３及び図１４を参照して説明する第５の実施の形態は、保持要素７０が異なるが、その他の構成は、上述した他の実施形態と同様に構成することができる。第５の実施の形態に関する以下の説明および以下の説明で用いる図面では、上述した他の実施の形態およびその変形例と同様に構成され得る部分について、上述した他の実施の形態およびその変形例における対応する部分に対して用いた符号と同一の符号を用いることとし、重複する説明を省略する。
【００６７】
本実施の形態の乳母車用の幌５０は、図１３及び図１４に示すように、被保持物５を収容する収容空間７１は、前後方向の両側に開放している。
【００６８】
図に示す例では、幌布５５は、単一の材料から形成されていない。幌布５５を形成する主材５９ｂのうち、中央領域５７に位置する部分に開口５９ａが形成されており、当該開口５９ａが、開口シート５９で覆われている。開口５９ａは、第２の幌骨６２と第３の幌骨６３との間に渡って形成されており、幅方向において所定の長さを有している。開口シート５９は、メッシュ材等の編み目状に形成され、通気部として機能するようにしてもよい。もっとも、このような例は例示にすぎず、幌布５５の中央領域５７が幌布のその他の部分と同一に形成され、開口５９ａ及び開口シート５９は設けられなくてもよい。
【００６９】
幌布５５の主材５９ｂと開口シート５９との幅方向における境界を規定する縁部５７ａには、取付部８２が、隣り合う２つの幌骨６２、６３の間を結ぶ方向、とりわけ図示する例では前後方向に沿って固定されている。そして、保持要素７０は、この取付部８２によって、幌布５５に取り付けられている。
【００７０】
具体的な構成として、取付部８２は、複数のループ材またはフック等の掛け具８２からなり、保持要素７０は、複数の掛け具８２に架け渡される紐状部材８３からなる。更に詳細には、掛け具８２は、幌布５５上における幅方向の一方の側に設けられた第１の掛け具群８２ａと、幌布５５上における幅方向の他方の側に設けられた第２の掛け具群８２ｂと、を含んでいる。紐状部材８３は、第１の掛け具群８２ａの掛け具と第２の掛け具群８２ｂの掛け具とに交互に架け渡されている。
【００７１】
このような掛け具８２として、例えば、中空円筒状の布材（ループ材）を用いることができる。一方、紐状部材８３として、例えば、ゴム等の弾性部材や紐材（掛け紐）を用いることができる。紐状部材８３として弾性部材を用いる場合、収容空間７１に被保持物５が挿入されると弾性部材からなる紐状部材８３が伸びるので、当該紐状部材８３の弾性力により被保持物５をより安定して保持することができる。
【００７２】
以上のように、本実施の形態によっても、保持要素７０と幌布５５との間で被保持物５を挟持することができる。幌布５５は、乳母車１０を操縦する保護者の近傍で当該保護者がアクセスしやすい位置に配置されている。このため、保持要素７０と幌布５５との間の収容空間７１に被保持物５を容易に収容することができ且つ保持要素７０と幌布５５との間の収容空間７１から被保持物５を容易に取り出すことができる。これにより、乳母車１０の利便性を向上させることができる。
【００７３】
また、本実施の形態によれば、保持要素７０が、幌布に紐状に設けられた紐状部材８３により実現されるため、当該保持要素７０と幌布５５との間に形成される収容空間７１の通気性が良くなる。したがって、例えば、乳幼児の衣服やタオルを収容空間７１に収容した場合、汗等の水分が付着した衣服やタオルを乾燥させることもできる。
【００７４】
また、上述したように、本実施の形態によれば、掛け具８２が、幌布５５上の幅方向における一方側に並べられた第１の掛け具群８２ａと、幌布５５上の幅方向における他方側に並べられた第２の掛け具群８２ｂと、を含み、紐状部材８３が、第１の掛け具群８２ａの掛け具と第２の掛け具群８２ｂの掛け具とに交互に架け渡されている。このような形態によれば、第１の掛け具群８２ａと第２の掛け具群８２ｂとの間に位置する被保持物５を、保持要素７０と幌布５５との間でバランスよく挟持することができる。とりわけ、幌布５５を支持する幌骨６０が逆Ｕ字状に形成され、幌布５５の頂面が、幅方向において、中央部で凸となる曲面状に張設されている場合、被保持物５が、保持要素７０と幌布５５との間の収容空間７１内において、幌布５５上を幅方向外側にずれることが予想される。しかしながら、保持要素７０をなす紐状部材が幅方向における両側で幌布５５に取り付けられているので、被保持物５が、保持要素７０と幌布５５との間の収容空間７１から、幅方向外側にずれ落ちてしまうことを効果的に防止することができ、被保持物５を収容空間７１内により安定して保持することができる。
【００７５】
≪第６の実施の形態≫
次に、図１５を参照して、本発明の第６の実施の形態について説明する。図１５は、本発明の第６の実施の形態における乳母車用の幌５０を示す概略側面図である。図１５を参照して説明する第６の実施の形態は、保持要素７０が異なり、幌布５５の開口５９ａが設けられていない。その他の構成は、第５の実施形態と同様に構成することができる。第６の実施の形態に関する以下の説明および以下の説明で用いる図面では、第５の実施の形態と同様に構成され得る部分について、第５の実施の形態における対応する部分に対して用いた符号と同一の符号を用いることとし、重複する説明を省略する。
【００７６】
本実施の形態の乳母車用の幌５０は、図１５に示すように、被保持物５を収容する収容空間７１は、前後方向の両側に開放している。
【００７７】
具体的な構成として、複数の掛け具８２が幌布５５上に固定されており、保持要素７０は、複数の掛け具８２に架け渡される紐状部材８３からなる。更に詳細には、掛け具８２は、第２の幌骨６２に沿って配置された２つの第１掛け具８２ｃ、８２ｄと、第３の幌骨６３に沿って配置された２つの第２掛け具８２ｅ、８２ｆと、これらの掛け具８２ｃ〜８２ｆから幅方向内側に離間して配置された２つの第３掛け具８２ｇ、８２ｈと、を含んでいる。紐状部材８３は、第１紐状部材８３ａと第２紐状部材８３ｂとを含んでいる。第１紐状部材８３ａは、幌取付部５１から離れた側の第１掛け具８２ｃから、当該第１掛け具８２ｃ側の第３掛け具８２ｇを介して、幌取付部５１に近い側の第２掛け具８２ｅに架け渡されている。第２紐状部材８３ｂは、他方の第１掛け具８２ｄから、他方の第３掛け具８２ｈを介して、他方の第２掛け具８２ｆに架け渡されている。
【００７８】
以上のように、本実施の形態によっても、保持要素７０と幌布５５との間で被保持物５を挟持することができる。幌布５５は、乳母車１０を操縦する操縦者の近傍で当該保護者がアクセスしやすい位置に配置されている。このため、保持要素７０と幌布５５との間の収容空間７１に被保持物５を容易に収容したり取出すことができる。これにより、乳母車１０の利便性を向上させることができる。
【符号の説明】
【００７９】
５  被保持物
１０  乳母車
１１  乳母車本体
２０  フレーム部
２９  筒状部
２９ａ  係止孔
３０  操作用ハンドル
３４  基端部
５０  幌
５１  幌取付部
５２  係止要素
５５  幌布
５７  中央領域
６０  幌骨
６１  第１の幌骨
６２  第２の幌骨
６３  第３の幌骨
６４  開度規制具
６９ａ、６９ｂ  開口
７０  保持要素
７０ａ  前側縁部
７０ｂ  後側縁部
７０ｃ  縁部（取付部）
７１  収容空間
７２  カバー材
７３  取付部
７５  連結具
７６  ベルト
７７  前側保持要素
７８  後側保持要素
７９  カバー材
８１  芯材
８２  取付部、掛け具
８２ａ  第１の掛け具群
８２ｂ  第２の掛け具群
８３  紐状部材
【図１】
2014065435.tif 000003
【図２】
2014065435.tif 000004
【図３】
2014065435.tif 000005
【図４】
2014065435.tif 000006
【図５】
2014065435.tif 000007
【図６】
2014065435.tif 000008
【図７】
2014065435.tif 000009
【図８】
2014065435.tif 000010
【図９】
2014065435.tif 000011
【図１０】
2014065435.tif 000012
【図１１】
2014065435.tif 000013
【図１２】
2014065435.tif 000014
【図１３】
2014065435.tif 000015
【図１４】
2014065435.tif 000016
【図１５】
2014065435.tif 000017